【手続補正書】
【提出日】平成18年7月7日(2006.7.7)
【手続補正１】
【補正対象書類名】特許請求の範囲
【補正対象項目名】全文
【補正方法】変更
【補正の内容】
【特許請求の範囲】
【請求項１】
撮影手段と、
この撮影手段による撮影時の位置を示す位置情報を取得する位置情報取得手段と、
前記撮影手段の撮影方向を示す方位情報を取得する方位情報取得手段と、
前記位置情報取得手段により取得した位置情報と前記方位情報取得手段により取得した方位情報とに基づいて地図データを取得する地図データ取得手段と、
前記撮影手段によって撮像された画像を表示する表示手段と、
この表示手段より前記撮像された画像が表示されているときに、前記地図データ取得手段によって取得された地図データの表示を指示する第１の表示指示手段と、
この第１の表示指示手段によって前記地図データの表示が指示されると、前記表示手段に地図データを表示させるよう前記表示手段を制御する第１の表示制御手段と
を具備することを特徴とする情報端末。
【請求項２】
前記地図データは、前記撮影位置または前記撮影方向を示す表示情報が合成されたものであることを特徴とする請求項１に記載の情報端末。
【請求項３】
前記撮影手段によって撮像された画像に関連する付属データを取得する付属データ取得手段と、
前記表示手段より前記撮像された画像が表示されているとき、もしくは、前記第１の表示制御手段により地図データが表示されているときに、前記付属データ取得手段によって取得された付属データの表示を指示する第２の表示指示手段と、
この第２の表示指示手段によって前記地図データの表示が指示されると、前記表示手段に前記付属データを表示させるよう前記表示手段を制御する第２の表示制御手段と
を更に具備することを特徴とする請求項１又は２に記載の情報端末。
【請求項４】
前記撮影手段によって撮像された画像、前記位置情報取得手段によって取得された位置情報、前記方位情報取得手段によって取得された方位情報、及び、前記地図データの取得に関する情報と一つのファイルとして記憶する記憶手段と、
この記憶手段に記憶されたファイルを外部へ送信する送信手段と
を更に具備することを特徴とする請求項１乃至３の何れかに記載の情報端末。
【請求項５】
撮影部にて撮像された位置を示す位置情報を取得する位置情報取得ステップと、
前記撮像部にて撮像された撮影方向を示す方位情報を取得する方位情報取得ステップと、
前記位置情報取得ステップにて取得した位置情報と前記方位情報取得ステップにて取得した方位情報とに基づいて地図データを取得する地図データ取得ステップと、
前記撮像部にて撮像された画像を表示させる表示ステップと、
この表示ステップにて前記撮像された画像が表示されているときに、前記地図データ取得ステップにて取得された地図データの表示を指示する表示指示ステップと、
この表示指示ステップにて前記地図データの表示が指示されると、前記地図データを表示させるよう制御する表示制御ステップと
からなることを特徴とする表示制御方法。
【請求項６】
コンピュータを、
撮影部にて撮像された位置を示す位置情報を取得する位置情報取得手段、
前記撮像部にて撮像された撮影方向を示す方位情報を取得する方位情報取得手段、
前記位置情報取得手段によって取得した位置情報と前記方位情報取得手段によって取得した方位情報とに基づいて地図データを取得する地図データ取得手段、
前記撮像部にて撮像された画像を表示させる表示手段、
この表示手段によって前記撮像された画像が表示されているときに、前記地図データ取得手段によって取得された地図データの表示を指示する表示指示手段、
この表示指示手段によって前記地図データの表示が指示されると、前記地図データを表示させるよう制御する表示制御手段
として機能させることを特徴とする表示制御プログラム。
【手続補正２】
【補正対象書類名】明細書
【補正対象項目名】発明の名称
【補正方法】変更
【補正の内容】
【発明の名称】情報端末
【手続補正３】
【補正対象書類名】明細書
【補正対象項目名】０００１
【補正方法】変更
【補正の内容】
【０００１】
本発明は、情報端末に関する。
【手続補正４】
【補正対象書類名】明細書
【補正対象項目名】０００６
【補正方法】変更
【補正の内容】
【０００６】
そこで本発明は、撮影された画像データが何処で撮影されたものか、またどの方向に向かって撮影されたものかが容易に確認することができる情報端末を提供することを目的とする。
【手続補正５】
【補正対象書類名】明細書
【補正対象項目名】０００７
【補正方法】変更
【補正の内容】
【０００７】
上記目的達成のため、請求項１記載の発明による情報端末は、撮影手段と、この撮影手段による撮影時の位置を示す位置情報を取得する位置情報取得手段と、前記撮影手段の撮影方向を示す方位情報を取得する方位情報取得手段と、前記位置情報取得手段により取得した位置情報と前記方位情報取得手段により取得した方位情報とに基づいて地図データを取得する地図データ取得手段と、前記撮影手段によって撮像された画像を表示する表示手段と、この表示手段より前記撮像された画像が表示されているときに、前記地図データ取得手段によって取得された地図データの表示を指示する第１の表示指示手段と、この第１の表示指示手段によって前記地図データの表示が指示されると、前記表示手段に地図データを表示させるよう前記表示手段を制御する第１の表示制御手段とを具備することを特徴とする。
【手続補正６】
【補正対象書類名】明細書
【補正対象項目名】０００８
【補正方法】変更
【補正の内容】
【０００８】
また、請求項２記載の発明は前記請求項１において、前記地図データは、前記撮影位置または前記撮影方向を示す表示情報が合成されたものであることを特徴とする。
【手続補正７】
【補正対象書類名】明細書
【補正対象項目名】０００９
【補正方法】変更
【補正の内容】
【０００９】
また、請求項３記載の発明は前記請求項１又は２記載の発明において、前記撮影手段によって撮像された画像に関連する付属データを取得する付属データ取得手段と、前記表示手段より前記撮像された画像が表示されているとき、もしくは、前記第１の表示制御手段により地図データが表示されているときに、前記付属データ取得手段によって取得された付属データの表示を指示する第２の表示指示手段と、この第２の表示指示手段によって前記地図データの表示が指示されると、前記表示手段に前記付属データを表示させるよう前記表示手段を制御する第２の表示制御手段とを更に具備することを特徴とする。
【手続補正８】
【補正対象書類名】明細書
【補正対象項目名】００１０
【補正方法】変更
【補正の内容】
【００１０】
また、請求項４記載の発明は前記請求項１乃至３の何れかに記載の発明において、前記撮影手段によって撮像された画像、前記位置情報取得手段によって取得された位置情報、前記方位情報取得手段によって取得された方位情報、及び、前記地図データの取得に関する情報と一つのファイルとして記憶する記憶手段と、この記憶手段に記憶されたファイルを外部へ送信する送信手段とを更に具備することを特徴とする。
【手続補正９】
【補正対象書類名】明細書
【補正対象項目名】００１１
【補正方法】変更
【補正の内容】
【００１１】
また、上記目的達成のため、請求項５記載の発明による表示制御方法は、撮影部にて撮像された位置を示す位置情報を取得する位置情報取得ステップと、前記撮像部にて撮像された撮影方向を示す方位情報を取得する方位情報取得ステップと、前記位置情報取得ステップにて取得した位置情報と前記方位情報取得ステップにて取得した方位情報とに基づいて地図データを取得する地図データ取得ステップと、前記撮像部にて撮像された画像を表示させる表示ステップと、この表示ステップにて前記撮像された画像が表示されているときに、前記地図データ取得ステップにて取得された地図データの表示を指示する表示指示ステップと、この表示指示ステップにて前記地図データの表示が指示されると、前記地図データを表示させるよう制御する表示制御ステップとからなることを特徴とする。
【手続補正１０】
【補正対象書類名】明細書
【補正対象項目名】００１２
【補正方法】変更
【補正の内容】
【００１２】
また、上記目的達成のため、請求項６記載の発明による表示制御プログラムは、コンピュータを、撮影部にて撮像された位置を示す位置情報を取得する位置情報取得手段、前記撮像部にて撮像された撮影方向を示す方位情報を取得する方位情報取得手段、前記位置情報取得手段によって取得した位置情報と前記方位情報取得手段によって取得した方位情報とに基づいて地図データを取得する地図データ取得手段、前記撮像部にて撮像された画像を表示させる表示手段、この表示手段によって前記撮像された画像が表示されているときに、前記地図データ取得手段によって取得された地図データの表示を指示する表示指示手段、この表示指示手段によって前記地図データの表示が指示されると、前記地図データを表示させるよう制御する表示制御手段として機能させることを特徴とする。
【手続補正１１】
【補正対象書類名】明細書
【補正対象項目名】００１３
【補正方法】変更
【補正の内容】
【００１３】
本発明によれば、撮影時の位置を示す位置情報と撮影方向を示す方位情報を取得し、また、取得した位置情報と方位情報とに基づいて地図データを取得する。そして、撮像された画像が表示されているときに、地図データの表示が指示されると、地図データを表示させるよう制御する。したがって、撮影された画像が何処で撮影されたものか、またどの方向に向かって撮影されたものかを容易に確認することができるという利点が得られる。
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００４４
【補正方法】変更
【補正の内容】
【００４４】
次に、携帯電話１０ｂでは、画像データが表示された状態、もしくは地図データが表示された状態で、ステップＳ８６で、付属データボタンが選択された否かを判断する。そして、付属ボタンが選択されると、ステップＳ８８で、図１１に示すように、付属データを表示部１３に表示する。図１１に示す例では、画像データが表示されているときに付属データボタンが選択された場合であって、画像データ上に付属データが重ねて表示されている。図示しないが、図１０（ａ）に示すように、地図データが表示されているときに、付属データボタンが選択された場合には、地図データ上に付属データが重ねて表示される。その後、ステップＳ８０へ戻る。